(57)【要約】【課題】少量の雨水でも確実に取水して貯留し、点検，清掃も容易な取水枡及びそれを利用した雨水貯留システムを提供する。【解決手段】取水枡２０の底部２２に、堰３６によって仕切られた排水口２４と取水口２６を設け、取水口２６上にフィルタ７０を配置し、竪樋１２から入った雨水をフィルタ本体７２へ導く導水板５４を取水枡２０内に設ける。取水された雨水は、空気排出口とホース接続口を備えた連結キャップを利用して接続された複数のタンクに貯留される。前記取水枡２０の内部に迂回路を設けることにより、雨水の入口と排水口２４を同一軸上に配置して排水機能を維持できる。導水板５４の先端部５６は鋸刃状であり、後引きを抑制して少量の雨水も取水できる。フィルタ７０は取水枡２０に対して着脱可能であるため、目詰まりの確認及び掃除が容易である。更に、前記連結キャップ１００の利用により、市販の携行タンクの利用が可能となる。【選択図】図２
2011144560.tif 000002
【特許請求の範囲】
【請求項１】
雨水を導く竪樋の一部を切断し、該切断部分の除去位置に取り付けられる取水枡であって、該取水枡は、上方が開放し、前記竪樋よりも水平断面が大きく設定され、かつ、
前記取水枡の底部に形成されており、前記竪樋の切断部分が除去された下側部分に接続される排水口，
前記底部に形成された取水口，
前記底部に所定の高さで形成されており、取水枡内部を排水口側と取水口側に仕切る堰，
該堰で仕切られた取水口側に、着脱可能に取り付けられるフィルタ手段，
前記竪樋の切断部分が除去された上側部分を受ける受部と、該受部の下方かつ前記フィルタ手段の上方に配置されており、前記受部から流入した雨水を前記フィルタ手段に導くように傾斜ないし湾曲した導水板とを有し、前記排水口側に着脱可能に取り付けられる導水手段，
を有することを特徴とする取水枡。
【請求項２】
前記導水板の先端部が前記堰を超えて、前記フィルタ手段の堰側の縁部と上方においてオーバーラップすることを特徴とする請求項１記載の取水枡。
【請求項３】
前記導水板の先端部が鋸刃状であることを特徴とする請求項１又は２に記載の取水枡。
【請求項４】
前記フィルタ手段は、
多数のスリットが設けられた略平面状の本体，
該本体の対向する縁部の一方に、前記本体の主面に対して傾斜するように設けられており、前記堰に当接するストッパ，
前記対向する縁部の他方に、前記ストッパと略平行かつ逆方向に延長形成された柄，
を有することを特徴とする請求項１〜３のいずれか一項に記載の取水枡。
【請求項５】
請求項１〜４のいずれか一項に記載の取水枡と、
該取水枡を経由した雨水を貯留する携行可能な複数のタンクと、
該複数のタンク同士及び前記取水枡とタンクを接続する複数のホースと、
前記複数のタンクの上部のタンク口に着脱可能に取り付けられ、前記ホースを接続するホース接続口と、前記タンク内の空気を排出する空気排出口とを有する連結キャップと、
を備えたことを特徴とする雨水貯留システム。
【請求項６】
前記連結キャップは、上面に立設された中空の塔部を備えており、
該塔部の上端に前記空気排出口が設けられ、前記塔部の側面に前記ホース接続口を略水平方向に延長形成したことを特徴とする請求項５記載の雨水貯留システム。
【請求項７】
前記空気排出口に、延長チューブを接続したことを特徴とする請求項６記載の雨水貯留システム。
【発明の詳細な説明】
【技術分野】
【０００１】
本発明は、雨水を導く竪樋から雨水を取り出す取水枡と、それを利用して雨水を貯えるための雨水貯留システムに関するものである。
【背景技術】
【０００２】
植物への給水，散水，洗車，よごれものの洗浄などに雨水を使用することができれば、上水道の水の節約になる。従来、雨水を利用するために、雨水を導く竪樋から雨水を取り出す取水器や、風呂桶や下部に蛇口の付いた大型タンクなどのように雨水を蓄える容器が用いられている。このうち、竪樋から雨水を取り出す技術として、例えば、下記特許文献１に記載の初期雨水除去装置とそれを利用した雨水貯留システムには、上竪樋と下竪樋の間に初期雨水除去装置を設け、該初期雨水除去装置内の通常雨水経路と、貯留タンクとを集水配管で接続することが開示されている。
【０００３】
また、下記特許文献２に記載の雨水の取水器には、上の縦樋を接続する上接続部と下の縦樋を接続する下接続部とを平面視の位置をずらせて上接続部の真下に取水用底部を形成し、取水用底部に取水用のホース接続部を下方に突出し、上接続部に接続された上の縦樋と取水用底部との間にフィルターを配設することが開示されている。更に、下記特許文献３には、縦樋の中間に直線状に取り付けるための、縦樋と接続できる接続口を入口と出口に設け、直進する導管と上部接続口の側近より、入口を傾斜させた迂回路を設け、その終端を下部接続口と接続し、直進する導管の下端部を閉鎖して水溜室を設けた縦樋分岐継手が開示されている。
【０００４】
一方、上述した大型のタンク等を用いて雨水を貯えた場合、水使用時は、改めてジョウロ，バケツ，小型容器などに汲み直して目的地まで運ぶ必要がある。そこで、はじめから携行可能な複数の小型タンクに貯められれば便利であり、時間の節約も可能である。複数のタンクに順次満たすには、漏れのない連結キャップとそれを繋ぐホースが必要である。ところで、タンクが全て空のときは、手前のタンクの口より雨水を注入すれば、タンクの中の空気は、奥のタンク口より排出され、雨水が順次満たされていく。しかしながら、奥のタンクが満たされて、手前のタンクが空の状態の時は、手前のタンクの空気が抜けず、充填不能となる。このような不都合に対し、下記特許文献４には、複数個の小容量タンクを連結ホースを介して連結して貯水及び出水させる雨水貯水方式において、前記少容量タンクの上部に、空気孔を設けることが開示されている。
【先行技術文献】
【特許文献】
【０００５】
【特許文献１】特開２００９−１２１２１７号公報
【特許文献２】特開２００１−３０３７２９号公報
【特許文献３】特開２００８−１７５０４２号公報
【特許文献４】実用新案登録第３１４８７９３号公報
【発明の概要】
【発明が解決しようとする課題】
【０００６】
しかしながら、上述した背景技術には、次のような不都合がある。まず、前記特許文献１に記載の技術では、取水のために竪樋の有効断面を犠牲にしているので、大雨のときには排水としての機能が殺がれてしまう。また、落葉や昆虫の死骸などのゴミがタンクへ入るのを防止するために、上竪樋の上部の受樋に濾網を設けることが開示されているが、この方法では高所にあるため、濾網の点検，洗浄が手軽にできないという不都合がある。次に、特許文献２及び３に記載の技術は、いずれも雨水の入口と排水の出口が同一軸上にないため、現状の雨樋にそのまま取り付けることができない。更に、前記特許文献４に記載の技術では、空気抜きをタンクに設ける特注品となるため、市販のタンクをそのまま利用することができないという不都合がある。
【０００７】
本発明は、以上のような点に着目したもので、竪樋の断面を有効に利用して排水機能を殺ぐことなく、ゴミが詰まりにくく、点検や手入れ（掃除）も簡単であって、少量の雨水でも確実に取水可能な取水枡と、該取水枡を経由した雨水を貯留するタンクを複数連結するためのキャップを備えた雨水貯留システムを提供することを、その目的とする。他の目的は、前記タンクとして、市販の携行タンクをそのまま利用することである。
【課題を解決するための手段】
【０００８】
本発明の取水枡は、雨水を導く竪樋の一部を切断し、該切断部分の除去位置に取り付けられる取水枡であって、該取水枡は、上方が開放し、前記竪樋よりも水平断面が大きく設定され、かつ、前記取水枡の底部に形成されており、前記竪樋の切断部分が除去された下側部分に接続される排水口，前記底部に形成された取水口，前記底部に所定の高さで形成されており、取水枡内部を排水口側と取水口側に仕切る堰，該堰で仕切られた取水口側に、着脱可能に取り付けられるフィルタ手段，前記竪樋の切断部分が除去された上側部分を受ける受部と、該受部の下方かつ前記フィルタ手段の上方に配置されており、前記受部から流入した雨水を前記フィルタ手段に導くように傾斜ないし湾曲した導水板とを有し、前記排水口側に着脱可能に取り付けられる導水手段，を有することを特徴とする。
【０００９】
主要な形態の一つは、前記導水板の先端部が前記堰を超えて、前記フィルタ手段の堰側の縁部と上方においてオーバーラップすることを特徴とする。他の形態は、前記導水板の先端部が鋸刃状であることを特徴とする。更に他の形態は、前記フィルタ手段は、多数のスリットが設けられた略平面状の本体，該本体の対向する縁部の一方に、前記本体の主面に対して傾斜するように設けられており、前記堰に当接するストッパ，前記対向する縁部の他方に、前記ストッパと略平行かつ逆方向に延長形成された柄，を有することを特徴とする。
【００１０】
本発明の雨水貯留システムは、前記いずれかに記載の取水枡と、該取水枡を経由した雨水を貯留する携行可能な複数のタンクと、該複数のタンク同士及び前記取水枡とタンクを接続する複数のホースと、前記複数のタンクの上部のタンク口に着脱可能に取り付けられ、前記ホースを接続するホース接続口と、前記タンク内の空気を排出する空気排出口とを有する連結キャップと、を備えたことを特徴とする。主要な形態の一つは、前記連結キャップは、上面に立設された中空の塔部を備えており、該塔部の上端に前記空気排出口が設けられ、前記塔部の側面に前記ホース接続口を略水平方向に延長形成したことを特徴とする。他の形態は、前記空気排出口に、延長チューブを接続したことを特徴とする。本発明の前記及び他の目的，特徴，利点は、以下の詳細な説明及び添付図面から明瞭になろう。
【発明の効果】
【００１１】
本発明によれば、取水枡の底部に堰によって仕切られた排水口と取水口を設けるとともに、雨水の入口と前記排水口を竪樋と同一軸上に配置し、前記取水口上にはフィルタ手段を設け、更に、前記入口から入った雨水が前記フィルタ手段を通過するように、迂回路を形成する導水手段を取水枡内に設けることとしたので、竪樋の断面積を有効に利用して廃水機能を殺ぐことなく、フィルタの点検・清掃も簡単であって、少量の雨水でも確実に取水可能となる。そして、空気排出口とホース接続口を備えた連結キャップを利用して、複数のタンク同士及び前記タンクと取水枡を接続することで、前記取水枡を経由した雨水を貯留できる。また、前記連結キャップの利用によってタンク内の空気が抜けるため、複数のタンクのうちのいずれかが満水であったとしても、空き容量があるタンクに充填することができる。更に、市販の携行タンクがそのまま利用可能となる。
【図面の簡単な説明】
【００１２】
【図１】図１(A)は、本発明の実施例１の雨水貯留システムの全体構成を示す図，図１(B)は、タンクの連結状態の変形例を示す図である。
【図２】図２は、前記実施例１の取水枡を示す図であり、(A)は側面図，(B)は内部構造を示す斜視図，(C)は前記取水枡から導水部及びフィルタを取り外した状態で前記(A)を矢印Ｆ２方向から見た平面図である。
【図３】図３(A)は、前記実施例１の取水枡の導水部を示す外観斜視図，図３(B)は前記取水枡のフィルタを示す外観斜視図である。
【図４】図４は、前記実施例１の連結キャップを示す外観斜視図である。
【発明を実施するための形態】
【００１３】
以下、本発明を実施するための最良の形態を、実施例に基づいて詳細に説明する。
【実施例１】
【００１４】
最初に、図１(A)及び図２〜図４を参照しながら本発明の実施例１を説明する。図１(A)は、本実施例の雨水貯留システムの全体構成を示す図である。図２は本実施例の取水枡を示す図であり、(A)は側面図，(B)は内部構造を示す斜視図，(C)は前記取水枡から導水部及びフィルタを取り外した状態で前記(A)を矢印Ｆ２方向から見た平面図である。図３(A)は、前記取水枡の導水部を示す外観斜視図，図３(B)は前記取水枡のフィルタを示す外観斜視図である。図４は、本実施例の連結キャップを示す外観斜視図である。本実施例の雨水貯留システム１０は、図１(A)に示すように、雨水を導く竪樋１２から雨水を取水する取水枡２０と、該取水枡２０を経由した雨水を貯留する複数のタンク９０Ａ〜９０Ｃと、前記取水枡２０とタンク９０Ａを接続するホース８２と、タンク９０Ａと９０Ｂ，タンク９０Ｂと９０Ｃを接続するホース１２２と、これらホース８２及び１２２を取り付けるための連結キャップ１００により構成されている。
【００１５】
前記取水枡２０は、竪樋１２の一部を切断し、その除去部分（図示せず）に取り付けられている。前記取水枡２０は、対向する一対の側面２０Ａ及び２０Ｂと、他の対向する一対の側面２０Ｃ及び２０Ｄと、底部２２により、上方が開放した略直方体状に形成されている。該取水枡２０の水平断面は、前記竪樋１２の断面よりも大きく設定されている。前記底部２２には、雨水の排水口２４と取水口２６が設けられている。このうち、前記排水口２４は、前記竪樋１２の切断部分が除去された下側部分１２Ｂに接続される。また、前記底部２２には、取水枡２０の内部を前記排水口２４側と取水口２６側で仕切る堰３６が所定の高さで形成されている。前記堰３６の両側（側面２０Ａ，２０Ｂ側）には、上方に向けて所定の長さでガイド部３６Ａが設けられている。該ガイド部３６Ａは、取水枡２０への後述するフィルタ７０の着脱をガイドするためのものである。
【００１６】
前記底部２２の外側には、前記排水口２４と取水口２６の間に切欠き２８が設けられ、取水枡側面２０Ｃの上方には、フック３０が設けられている。これら切欠き２８及びフック３０に針金３４を掛け、該針金３４を、図１(A)に示すように竪樋１２の樋支持具（デンデン）３２に固定することにより、取水枡２０が竪樋１２の除去部分に固定される。また、前記取水枡２０の上端部４０には、段部３８が形成されている。該段部３８は、後述する導水部５０の縁部を受けるものである。また、前記側面２０Ａ，２０Ｂの上端部４０には、ストッパ段部４０Ａが設けられている。これは、取水枡２０に収納した導水部５０が側面２０Ｄ方向にずれないように保持するストッパとして機能するものである。
【００１７】
また、前記取水枡２０には、前記堰３６によって仕切られた取水口２６側に、フィルタ７０が着脱可能に設けられている。該フィルタ７０は、図２(B)及び図３(B)に示すように多数のスリット７４が設けられており、裏側に補強板７３が設けられた略平面状の本体７２と、該本体７２の対向する縁部の一方に、前記本体７２に対して傾斜するように延長形成されたストッパ７６と、前記対向する縁部の他方に前記ストッパ７６と略平行かつ逆方向に延長形成された略三角形の平板状の柄（ないし背面板）７８により構成されている。前記柄７８には、該柄７８の主面に対して直交するつまみ部８０が設けられている。前記ストッパ７６が前記堰３６に当接し、前記柄７８が取水枡側面２０Ｄの内側に当接することで、前記フィルタ７０を取水枡２０に収納したときの位置が固定される。なお、図示の例では、フィルタ７０を取水枡２０に取り付けたときに、前記ストッパ７６側が低くなるように本体７２が傾斜している。このようなフィルタ７０を取水枡２０に収納するときは、ストッパ７６側を下向きにして挿入し、前記ガイド部３６Ａに沿って滑らせる。
【００１８】
更に、前記取水枡２０は、前記堰３６によって仕切られた排水口２４側に、導水部５０を備えている。該導水部５０は、対向する一対の側面５２Ａ及び５２Ｂと、背面及び底面を兼ねる導水板５４と、前記側面５２Ａ及び５２Ｂの間に略平行に配置された仕切６４により構成されている。前記一対の側面５２Ａ及び５２Ｂと、導水板５０の背面部分の上端には、該上端と重なるように縁部５８が設けられている。前記上端と縁部５８を重ねることにより、内側及び外側にそれぞれ段部６０，６２が形成される。前記外側の段部６２が、上述した取水枡２０の上端部４０の段部３８に係合し、側面５２Ａ及び５２Ｂの縁部５８が前記上端部４０のストッパ段部４０Ａに当接することで、導水部５０が取水枡２０に取り付けられる。
【００１９】
一方、前記仕切６４の上縁６６の一端側には、段部６８が設けられている。前記上縁６６は、前記側面５２Ａ及び５２Ｂの内側の段部６０と同じ高さに設定されており、前記上縁６６及び段部６０によって、竪樋１２の切断部分が除去された上側部分１２Ａを受ける受部を形成している。前記受部は、前記排水口２６の直上となるように、すなわち、前記受部，排水口２６，竪樋１２が同一軸上にくるように形成されている。なお、本実施例では竪樋１２の断面を略円形で示したが、略方形状の断面であっても前記受部は対応可能である。
【００２０】
前記導水板５４は、前記受部の真下であって、前記フィルタ７０よりも上方に配置されており、前記竪樋上側部分１２Ａから流入した雨水を、前記フィルタ７０に導くように湾曲した形状となっている。該導水板５４の先端部５６は、前記雨水をフィルタ７０へ確実に導くように、前記堰３６を越えて、フィルタ本体７２のストッパ７６側の縁部と上方においてオーバーラップしている。更に、本実施例では、前記導水板５４の先端部５６は、鋸刃状にギザギザに形成されている。前記先端部５６が直線状に形成されている場合、フィルタ本体７２の縁部とのオーバーラップだけでは、雨水の流量が少ないときは、直線状の先端部における表面張力により後引きが生じ、確実に取水できないおそれがあるが、前記先端部５６を鋸刃状に形成することにより、後引きを抑制して、ごく少量の雨でも確実に取水することが可能となる。
【００２１】
次に、連結キャップ１００について説明する。連結キャップ１００は、複数のタンク９０Ａ，９０Ｂ，９０Ｃ，・・・，を連結するためのものである。前記タンク９０Ａ，９０Ｂ，９０Ｃは、図１(A)に示すように、上面に２つのタンク口９２及び９４と、取手９６を有しており、公知の各種の携行可能なタンク（例えば、灯油ポリタンクなど）が利用可能である。前記連結キャップ１００は、図４に示すように、前記タンク口９２，９４に取付可能であって、上面に開口１０４を有するキャップ本体１０２に、円板状の基部１０６を嵌めた構成となっている。前記基部１０６は、上面側の周縁に段差１０８を有しており、底面側の周縁にパッキン１１２を嵌めるための溝１１０を有している。前記段差１０８の高さは、前記キャップ本体１０２に嵌めたときにキャップ本体１０２の上面と基部１０６の上面が面一になるように、前記キャップ本体１０２の上面の厚みとほぼ同一に設定されている。これにより、基部１０６の段差１０８とキャップ本体１０２の開口１０４が回転可能に嵌合する。なお、前記キャップ本体１０２への基部１０６の取り付けは、単に、キャップ本体１０２の内側からの挿入によるが、図示のように、ホース８２，１２２をホース接続口１１８に接続することによって、基部１０６はキャップ本体１０２から抜け落ちなくなる。
【００２２】
また、前記基部１０６には、厚み方向に貫通する貫通孔１０７が形成されており、前記基部１０６の上面に立設された中空の塔部１１４と連続している。該塔部１１４の上面には、タンク９０Ａ，９０Ｂ，９０Ｃ内の空気を外部に排出するための空気排出口１１６が設けられ、前記塔部１１４の側面には、ホース接続口１１８が形成されている。該ホース接続口１１８は、残留空気をできる限り減らすために、略水平方向に形成されている。また、本実施例では、前記空気排出口１１６には延長チューブ１２０が取り付けられている。該延長チューブ１２０は、タンク９０Ａ，９０Ｂ，９０Ｃが設置される地面１６の不陸や、タンク９０Ａ，９０Ｂ，９０Ｃの高さの違いによって先端から水が出ないように、所定の長さがある可撓性を有するものを略垂直に設ける。前記ホース接続口１１８には、取水枡２０の取水口２６とタンク９０Ａを連結するためのホース８２や、タンク９０Ａ及び９０Ｂ、タンク９０Ｂ及びタンク９０Ｃを連結するためのホース１２２が接続される。前記タンク９０Ａに雨水が満たされると、雨水は、ホース１２２を通って隣のタンク９０Ｂに流入する。
【００２３】
次に、本実施例の作用を説明する。平らな地面１６には、複数の携行可能タンク９０Ａ，９０Ｂ，９０Ｃ，・・・が並べられており、それぞれのタンク口９２，９４には、連結キャップ１００が取り付けられている。そして、タンク９０Ａのタンク口９４に設けた連結キャップ１００のホース接続口１１８と、タンク９０Ｂのタンク口９２に設けた連結キャップ１００のホース接続口１１８を、ホース１２２により連結する。また、タンク９０Ｂのタンク口９４に設けた連結キャップ１００のホース接続口１１８と、タンク９０Ｃのタンク口９２に設けた連結キャップ１００のホース接続口１１８を、ホース１２２により連結する。なお、図示の例では、３つのタンク９０Ａ，９０Ｂ，９０Ｃを用いたが、必要に応じて更に他のタンク（図示せず）を、タンク９０Ｃに接続して利用してもよい。次に、前記タンク９０Ａ，９０Ｂ，９０Ｃよりも若干上の位置において、竪樋１２を切断し、該切断した部分を除去する。また、取水枡２０には、あらかじめ前記導水部５０とフィルタ７０を取り付けておく。そして、取水枡２０の排水口２４を、竪樋１２の切断部分が除去された下側部分１２Ｂに差し込み、次いで、取水枡２０を持ち上げて、竪樋の上側部分１２Ａの切断口を、導水部５０の上方の受部に差し込む。この状態で、取水枡２０の切欠き２８及びフック３０と、樋支持具３２に針金３４を回し掛け、取水枡２０を適当な高さに吊り下げる。このようにして竪樋１２に取り付けた取水枡２０の取水口２６と、前記タンク９０Ａのタンク口９２に取り付けた連結キャップ１００のホース接続口１１８を、ホース８２により接続する。
【００２４】
この状態で雨が降ると、竪樋１２から取水枡２０に入った雨水は、図２(B)に矢印ＦＡで示すように、導水板５４によってフィルタ７０へ導かれ、フィルタ本体７２を通過し、堰３６によって形成された池４２に貯まり、該池４２の下部の取水口２６より、ホース８２を介してタンク９０Ａに導かれる。前記堰３６をオーバーフローした雨水は、前記図２(B)に矢印ＦＢで示すように、排水口２４から竪樋１２の下側部分１２Ｂへ流れ、地下の排水管１４に排出される。なお、前記フィルタ本体７２は、簀状の縦スリットとなっており、その主面は堰３６側が低くなるように傾斜しているため、雨水はスリット７４で濾されて池４２へ落ちるが、落葉や昆虫などは、フィルタ本体７２の主面に沿って滑落し、排水口２６を通って竪樋下側部分１２Ｂに排出される。このため、フィルタ７０の掃除はほとんど不要である。
【００２５】
前記取水枡２０で取水された雨水は、取水口２６，ホース８２，連結キャップ１００，タンク口９２を介してタンク９０Ａに貯留され、更に、タンク９０Ａが満たされれば、タンク９０Ａのタンク口９４，連結キャップ１００，ホース１２２，タンク９０Ｂのタンク口９２に設けられた連結キャップ１００及び前記タンク口９２を介して、隣のタンク９０Ｂに貯留される。同様にして、タンク９０Ｂが満たされれば、隣のタンク９０Ｃに貯留される。本実施例では、前記連結キャップ１００に設けた空気排出口１１６及び延長チューブ１２０により空気が抜けるため、取水枡２０からみて奥のタンク９０Ｂ（あるいは９０Ｃ）が雨水で満たされており、手前のタンク９０Ａが空の状態であったとしても、該タンク９０Ａの空気が抜けるため充填に支障をきたすことがない。
【００２６】
タンク９０Ａ〜９０Ｃに貯留した雨水を使用するときには、前記連結キャップ１００を外し、図示しない密閉キャップ（当初、タンク９０Ａ〜９０Ｃに付属していたキャップなど）に取り替えれば、タンク９０Ａ〜９０Ｃを必要とする場所まで手に持って行くか、車のトランクなどに載せていける。このように密閉キャップに取り替えることで、タンク９０Ａ〜９０Ｃが転倒しても、水が漏れて周囲を濡らすことがない。使用する場所では、密閉キャップを外して傾ければ、タンク口９２（または９４）から水が出るため、タンク９０Ａ〜９０Ｃ本体に蛇口は必要としない。据置き式のタンクでは、長期使用すると汚泥がたまったり藻が発生したりするが、本実施例では、タンク９０Ａ〜９０Ｃは携行可能であり、タンクを逆さにして完全に水を捨てることができるため、衛生的であると同時に、タンクの保守，管理が簡単（容易）である。
【００２７】
このように、実施例１によれば、次のような効果がある。
(1)導水板５４によって取水枡２０の本体内に雨水の迂回路を形成しているため、雨水の入口と出口（排出口２４）が同一軸上に配置可能となり、取水枡２０を竪樋１２に取り付けたときに、該取水枡２０の外部に迂回路を別途設ける必要がない。また、取水・排水のいずれの時点でも、雨水の通路が狭窄されることがないため、大雨のときでも排水機能に支障をきたすことがない。
(2)前記導水板５４の先端部５６を鋸刃状に形成しているため、表面張力による雨水の後引きを抑制し、少量の雨でも確実に取水することができる。
(3)タンク９０Ａ〜９０Ｃよりも若干上方に取水枡２０を取り付けているため、取水位置が地面１６に近く、また、フィルタ７０の上部が開放されているため、フィルタ本体７２の目詰まりの点検が容易である。更に、つまみ部８０を持ち上げることで、フィルタ７０が取り外せるため清掃も容易である。
【００２８】
(4)空気排出口１１６，延長チューブ１２０，ホース接続口１１８を備えた連結キャップ１００を利用して複数のタンク９０Ａ〜９０Ｃを連結することとしたので、タンク９０Ａ〜９０Ｃの本体に空気口を設ける必要がなく、タンク９０Ａ〜９０Ｃのいずれかが雨水で満たされていたとしても、容量が空いているタンクに雨水を貯めることができる。このため、タンク９０Ａ〜９０Ｃに貯まった雨水を、どのタンクからでも利用可能である。
(5)前記連結キャップ１００を利用することにより、前記タンク９０Ａ〜９０Ｃとして、市販の携行タンク（灯油ポリタンクなど）を改造することなく、そのまま利用することができる。
(6)前記連結キャップ１００及びホース１２２の利用により、所望の数のタンクを連結可能であるため、設置する土地の雨量，屋根の広さ，設置場所の広さ，水の需要量に応じて、タンクの接続数を増減し、貯える雨水の量を調整可能である。
【００２９】
なお、本発明は、上述した実施例に限定されるものではなく、本発明の要旨を逸脱しない範囲内において種々変更を加え得ることができる。例えば、以下のものも含まれる。
(1)前記実施例で示した形状，寸法は一例であり、必要に応じて適宜変更してよい。材質についても同様に、必要に応じて適宜変更可能である。
(2)前記実施例では、取水枡２０の排水口２４を、切断部分が除去された竪樋１２の下側部分１２Ｂに接続したが、前記排水口２４を長く形成して、地下の排水管１４に直接接続してもよい。
(3)前記実施例で示した針金３４を利用した取水枡２０の吊り下げ方法は一例であり、同様の効果を奏するように、公知の各種の固定方法を用いてよい。
【００３０】
(4)図１(A)に示すタンク９０Ａ〜９０Ｃの数及び配置も一例であり、必要に応じてタンク９０Ａ〜９０Ｃ以外のタンクを増設してもよい。また、その配置も任意であり、例えば、図１(B)に示すように、取水枡２０の取水口２６とタンク９０Ａのタンク口９２を接続し、タンク９０Ａとタンク９０Ｂのタンク口９４同士を接続し、タンク９０Ｂとタンク９０Ｃのタンク口９２同士を接続し、タンク９０Ｃと図示しないタンク９０Ｄのタンク口９４同士を接続してもよい。
(5)前記実施例では、取水枡２０で取水した雨水をタンク９０Ａ〜９０Ｃに貯留することとしたが、これも一例であり、他の容器（例えば、水桶など）に貯留することを妨げるものではない。
(6)前記実施例で示した貯留した雨水の用途は一例であり、公知の各種の用途に適用してもよい。
【産業上の利用可能性】
【００３１】
本発明によれば、取水枡の底部に堰によって仕切られた排水口と取水口を設けるとともに、雨水の入口と前記排水口を竪樋と同一軸上に配置し、前記取水口上にはフィルタ手段を設け、更に、前記入口から入った雨水が前記フィルタ手段を通過するように、迂回路を形成する導水手段を取水枡内に設けることとしたので、竪樋から雨水を取水する取水枡の用途に適用可能である。また、空気排出口とホース接続口を備えた連結キャップを利用して複数連結されたタンクに、前記取水枡を経由して取水した雨水を貯留することとしたので、雨水の貯留システムの用途に適用可能である。
【符号の説明】
【００３２】
１０：雨水貯留システム
１２：竪樋
１２Ａ：上側部分
１２Ｂ：下側部分
１４：排水管
１６：地面
２０：取水枡
２０Ａ〜２０Ｄ：側面
２２：底部
２４：排水口
２６：取水口
２８：切欠き
３０：フック
３２：樋支持具（デンデン）
３４：針金
３６：堰
３６Ａ：ガイド部
３８：段部
４０：上端部
４０Ａ：ストッパ段部
４２：池
５０：導水部
５２Ａ，５２Ｂ：側面
５４：導水板
５６：先端部
５８：縁部
６０，６２：段部
６４：仕切
６６：上縁
６８：段部
７０：フィルタ
７２：本体
７３：補強板
７４：スリット
７６：ストッパ
７８：柄（ないし背面板）
８０：つまみ部
８２：ホース
９０Ａ〜９０Ｄ：タンク
９２，９４：タンク口
９６：取手
１００：連結キャップ
１０２：キャップ本体
１０４：開口
１０６：基部
１０７：貫通孔
１０８：段差
１１０：溝
１１２：パッキン
１１４：塔部
１１６：空気排出口
１１８：ホース接続口
１２０：延長チューブ
１２２：ホース
【図１】
2011144560.tif 000003
【図２】
2011144560.tif 000004
【図３】
2011144560.tif 000005
【図４】
2011144560.tif 000006